(57)【要約】【課題】  スケールの５ｍｍ間隔に形成されている１ｍｍ目盛り線が読取り易く、間違えることのないスケールの目盛りの提供。【解決手段】  １ｍｍ目盛り線の長さを段階的に変化させ、例えば各１ｍｍ目盛り線４ａ，４ｂ，４ｃ，４ｄの長さが段階的に変化して互いに異なる。【選択図】    図１
0003114235.tif 000002
【実用新案登録請求の範囲】
【請求項１】
スケールの５ｍｍ間隔に形成されている１ｍｍ目盛り線において、その長さを段階的に変化させたことを特徴とするスケールの目盛り。
【請求項２】
上記１ｍｍ目盛り線の長さを５ｍｍ間隔ごとにノコ歯状に変化させた請求項１記載のスケールの目盛り。
【請求項３】
上記１ｍｍ目盛り線の長さを５ｍｍ目盛り線を中心として山形に変化させた請求項１記載のスケールの目盛り。
【請求項４】
工作機械などの送り装置や位置決め装置などに設けている目盛りにおいて、最も細かい目盛り線の長さを段階的に変化させたことを特徴とする工作機械の送り装置などに設ける目盛り。
【考案の詳細な説明】
【技術分野】
【０００１】
本考案はスケールを用いて長さ測定を行う場合、その目盛りを間違えることなく読取って測定することが出来るスケール等の目盛りに関するものである。
【背景技術】
【０００２】
一般にスケールと称するものには、最も一般的な物差しや巻尺が良く知られている。物差しは２０ｃｍ用、３０ｃｍ用、１００ｃｍ用などがあり、その材質は一般に樹脂製、又は金属製と成っている。昔は竹製の物差しが大半であったが、今では見ることは少なく成っている。物差しは家庭などで手軽に遣うことが出来るラフな長さ測定手段であり、精度の高い測定を行う場合には適していない。
【０００３】
高精度の長さ測定を行うには、ノギスやマイクロメータなどが使用され、最近では電子測定装置も多用されている。本考案はあくまでも原始的な物差し又はスケールを対象としており、該スケールや物差しを使用して長さを測る際に、該スケールに目盛ってある目盛りを読み間違えることが多い。少なくとも、１ｍｍ目盛り線は読取り難く、測定に際しては目盛りの読み間違えがないように非常に神経を使う。
【０００４】
図４は従来の一般的な３０ｃｍ用スケールの一部（１５ｃｍ〜３０ｃｍ）を表しているが、該スケールは１ｃｍ間隔で目盛りが刻まれ、さらに１ｃｍの目盛りは１ｍｍの目盛りに細かく刻まれている。そして、５ｃｍ間隔で目盛り線の先端には数字が記載されて読み取り易く成っている。すなわち、１５ｃｍ，２０ｃｍ，３０ｃｍの位置が一目で分かる為に、該スケールを用いて長さを測る際には１ｃｍ目盛り線を順番に数える必要はない。
【０００５】
又、１ｃｍ目盛り線は１ｍｍ目盛り線より長くて、しかも先端には三角形の印が形成されている。ただし、１ｍｍ間隔の目盛り線を数えなくてはならず、細かい為に数え間違えを起こすことが多い。５ｍｍの目盛り線は僅かではあるが長くなって１ｍｍ目盛り線より僅かに延びている為に間違えることなく判断されるが、１ｍｍ目盛り線は同じ長さで配列している為に読み取り難い。
【０００６】
実開平１−７５８０９号に係る「電子式スケール装置」は、被測定物に長さを電子式スケール装置であって、上記被測定物の長さを検出する検出部と、該検出器で得られた信号を変換して表示装置に１０進表示する制御部と、該制御部によって前記表示装置に表示される長さのデータを記憶するメモリとを備えている。従って、表示装置には検出された長さ寸法が表示されるために、目盛りを読み間違えする必要はないが、コストは高くなり誰でも手軽に使用できるものではない。
【０００７】
実開昭６４−４６７０４号に係る「定規」は、定規本体の目盛り部に設けられた液晶デイスプレイと、該液晶デイスプレイを定規の目盛りを表示するように制御する制御部とを備えている。従って、上記定規の場合も制御部を備えた高価なものと成ってしまう。
【特許文献１】実開平１−７５８０９号に係る「電子式スケール装置」
【特許文献２】実開昭６４−４６７０４号に係る「定規」
【考案の開示】
【考案が解決しようとする課題】
【０００８】
このように、従来のスケール（定規）には上記のごとき問題がある。本考案が解決しようとする課題はこれら問題点であり、誰でも手軽に使用できてコストも安く、さらに１ｍｍ目盛り線を間違えることなく読取ることが出来るスケールを提供する。又、工作機械などの送り装置や位置決め装置にも目盛りが設けられているが、これらの目盛りも対象とし、読み間違えることのないように形成した目盛りを提供する。
【課題を解決するための手段】
【０００９】
本考案に係るスケールは、昔から使用されている樹脂製又はスチール製、さらには木製などから成り、該スケールには１ｃｍ間隔の目盛り線が形成され、１ｃｍの間には１ｍｍ目盛り線が形成されている。そして、５ｃｍごとに目盛りの数字が形成されている。ところで、本考案では該１ｍｍ間隔の目盛り線を読取り易くする為に、その長さは同じでなく、各１ｍｍ目盛り線の長さを違わせている。
【００１０】
しかし、長さをランダムに変化させるのではなく、規則正しく段階的に変化させている。同じく旋盤、フライス盤等の工作機械には送り装置や位置決め装置が備わっており、その送り量や位置を定める為の目盛りが設けられている。そこで、該目盛りの中で最も読みにくい細かい目盛り線は、同一長さではなく段階的に変化している。
【考案の効果】
【００１１】
本考案のスケールでは、１ｍｍ目盛り線が同じ長さでなく段階的に変化している為に読み取り易くなり、寸法の読み違いを防止することが出来る。前記図４に示しているように一定長さで先端が同一線上に並んでいる１ｍｍ目盛り線に比較して、先端が段階的に変化していることで隣合う目盛り線との区別が付き易く、間違えて読取るケースが減少する。一方、工作機械の送り装置などに設けている目盛りの中で、細かい目盛り線の長さは段階的に変化している為に、読み間違えすることはない。少なくとも読み間違えを抑制できる。
【実施例】
【００１２】
図１は本考案に係るスケールを示す実施例である。該スケールは樹脂製であり、その外観は従来のものと共通しているが、目盛り線に本考案の特徴がある。目盛り線は、１ｃｍ目盛り線１，１・・が１ｃｍ間隔で形成され、その先端には三角形の目印２，２・・を設けている。そして、５ｃｍ間隔の目盛り線の先には数字が記載されている。すなわち、０，５，１０・・の数字が記載され、１ｃｍ目盛り線１，１・・を数えなくても、記載さている数字をみて長さを読取ることが出来る。
【００１３】
上記１ｃｍ目盛り線１，１・・の中間には５ｍｍ目盛り線３，３・・が形成され、その長さは１ｃｍ目盛り線１，１・・と同じとし、先端が揃っている。しかし５ｍｍ目盛り線３，３・・の先端には三角形の目印は設けておらず、１ｃｍ目盛り線１，１・・との区別を行っている。
【００１４】
図２は図１のＡ部拡大図であり、１ｃｍ目盛り線１と５ｍｍ目盛り線３との間は４本の１ｍｍ目盛り線４ａ，４ｂ，４ｃ，４ｄによって均等に区分されている。ところで、この１ｍｍ目盛り線４ａ，４ｂ，４ｃ，４ｄの長さは夫々異なり、１ｍｍ目盛り線４ａが最も長く、１ｍｍ目盛り線４ｄは最も短くなっている。他の１ｍｍ目盛り線４ｃ，４ｄは中間長さと成っており、すなわち１ｍｍ目盛り線４ａ，４ｂ，４ｃ，４ｄは段階的にその長さが変化している。
【００１５】
このように、１ｍｍ目盛り線４ａ，４ｂ，４ｃ，４ｄの長さを段階的に変化させることで読取り易くなり、隣の１ｍｍ目盛り線と間違えて読取ることが防止される。図２に示す１ｍｍ目盛り線４ａ，４ｂ，４ｃ，４ｄの長さの変化は、同じように繰り返され、隣の５ｍｍ間隔に形成される１ｍｍ目盛り線４ａ，４ｂ，４ｃ，４ｄも段階的に短くなっている。すなわち、１ｍｍ目盛り線４ａ，４ｂ，４ｃ，４ｄは５ｍｍ間隔でノコ歯状に変化している。
【００１６】
図３は１ｍｍ目盛り線を描いている別形態であり、５ｍｍ目盛り線３を中心として１ｍｍ目盛り線４ａ，４ｂ，４ｃ・・は山形と成っている。すなわち、５ｍｍ目盛り線３の左側では１ｍｍ目盛り線４ａ，４ｂ，４ｃ，４ｄは段階的に長くなり、５ｍｍ目盛り線３の右側では１ｍｍ目盛り線４ｅ、４ｆ、４ｇ、４ｈの長さは段階的に短く成っている。
【００１７】
このように、図３に示す１ｍｍ目盛り線４ａ，４ｂ，４ｃ・・は各５ｍｍ目盛り線３を中心として山形を成すように段階的に変化し、この形態が繰り返されている。前記図２に示すノコ歯状の変化とは違っているが、１ｍｍ目盛り線４ａ，４ｂ，４ｃ・・を読み間違えするケースを抑えることが出来る。
【図面の簡単な説明】
【００１８】
【図１】本考案に係るスケールを示す実施例。
【図２】図１のＡ部拡大図。
【図３】１ｍｍ目盛り線の別形態。
【図４】従来のスケールに形成している目盛り線。
【符号の説明】
【００１９】
１  １ｃｍ目盛り線
２  三角形の目印
３  ５ｍｍ目盛り線
４  １ｍｍ目盛り線
【図１】
0003114235.tif 000003
【図２】
0003114235.tif 000004
【図３】
0003114235.tif 000005
【図４】
0003114235.tif 000006